(57)【要約】  セル間でモバイルターミナルが移動する際、ラジオベアラーを速く設定するためにラジオベアラーパラメータの基準構成を活用することにより、点対多マルチメディアサービスのラジオベアラーを設定する方法と装置が開示される。同一または均等値、プロトコルパラメータとチャネルパラメータが各セルに対して設定されるように基準構成を活用することにより、特定の点対多サービス用ラジオベアラーパラメータを構成することにより、特定の点対点サービスが提供される通信システム内の異なるセルは同一パラメータ値を活用することにより、ラジオプロトコルエンティティー、チャネル及びラジオベアラーを同時に構成できるので、ラジオベアラーの設定時に遅延の最小化、ハンドオーバーの間生じるデータ損失の最小化、ネットワークリソースの保存、ソフト結合を通じた受信性能の強化を可能にする。【選択図】  図１
2007507971.tif 000002
【特許請求の範囲】
【請求項１】
モバイルターミナルにおける点対多サービスを受信する方法であって、
前記点対多サービス用の第１構成型識別子と関連した第１データ通信パラメータを活用するステップと、
第２データ通信パラメータと関連し、同一な点対多サービス用の第２構成型識別子を受信するステップと、
前記第１構成型識別子と前記第２構成型識別子とを比較するステップと、
前記第１構成型識別子及び前記第２構成型識別子が同一である場合、前記第１データ通信パラメータを活用して前記点対多サービスを受信するステップと、
を含む方法。
【請求項２】
前記第１構成型識別子及び前記第２構成型識別子が同一でない場合、前記第２構成型識別子と関連した前記第２データ通信パラメータを活用して前記点対多サービスを受信するステップを更に含む請求項１に記載の方法。
【請求項３】
前記第１データ通信パラメータと第２データ通信パラメータは、各々前記点対多サービスを受信するのに必要なチャネルを構成するためのチャネルパラメータを含む請求項１に記載の方法。
【請求項４】
前記第１データ通信パラメータと第２データ通信パラメータは、各々前記点対多サービスを受信するのに必要なプロトコルエンティティーを構成するためのプロトコルパラメータを含む請求項１に記載の方法。
【請求項５】
前記第１データ通信パラメータ及び前記第２データ通信パラメータは、前記モバイルターミナルにプリローディングされる請求項１に記載の方法。
【請求項６】
前記第１データ通信パラメータ及び前記第２データ通信パラメータは、前記ネットワークから受信される請求項１に記載の方法。
【請求項７】
前記第１データ通信パラメータ及び前記第２データ通信パラメータは、専用チャネルを介して受信される請求項１に記載の方法。
【請求項８】
前記第１データ通信パラメータ及び前記第２データ通信パラメータは、共通チャネルを介して受信される請求項１に記載の方法。
【請求項９】
前記第１データ通信パラメータ及び前記第２データ通信パラメータは、反復的かつ周期的に受信される請求項１に記載の方法。
【請求項１０】
前記第１構成型識別子は共通チャネルを介して受信される請求項１に記載の方法。
【請求項１１】
前記第２構成型識別子は共通チャネルを介して受信される請求項１に記載の方法。
【請求項１２】
前記第１構成型識別子は共通第１セルと関連し、前記第２構成型識別子は第２セルと関連する請求項１に記載の方法。
【請求項１３】
モバイルターミナルにおける点対多サービスを受信する方法であって、
対応する格納された構成型識別子を備えた少なくとも１つのデータ通信パラメータのセットを格納するステップと、
前記点対多サービス用構成型識別子を受信するステップと、
前記受信された構成型識別子と関連した格納データ通信パラメータの少なくとも１つのセットを検索するステップと、
前記検索されたデータ通信パラメータの少なくとも１つのセットを活用して前記点対多サービスを受信するステップと、
を含む方法。
【請求項１４】
前記第１構成型識別子は、共通チャネルを介して受信される請求項１３に記載の方法。
【請求項１５】
前記構成型識別子の受信時に如何なる応答も伝送されない請求項１３に記載の方法。
【請求項１６】
前記受信された構成型識別子に対応する点対多サービス識別子を受信するステップを更に含む請求項１３に記載の方法。
【請求項１７】
前記点対多サービスは、パケットデータサービスを含む請求項１３に記載の方法。
【請求項１８】
データ通信パラメータの少なくとも１つのセットは、前記点対多サービスを受信するための共通トラフィックと関連する請求項１３に記載の方法。
【請求項１９】
データ通信パラメータの１つ以上のセットが同時に活用される請求項１３に記載の方法。
【請求項２０】
データ通信パラメータの１つ以上のセット及び対応する構成型識別子がプリローディングされる請求項１３に記載の方法。
【請求項２１】
データ通信パラメータの１つ以上のセット及び対応する構成型識別子がネットワークから受信される請求項１３に記載の方法。
【請求項２２】
点対多サービスを少なくとも１つのモバイルターミナルに提供する方法であって、
第１構成型識別子と関連した第１データ通信パラメータを活用して前記点対多サービスを前記少なくとも１つのモバイルターミナルに伝送するステップと、
第２構成型識別子と関連した第２データ通信パラメータを前記少なくとも１つのモバイルターミナルに伝送するステップとを含み、
前記第２構成型識別子は同一点対多サービス用である方法。
【請求項２３】
前記第２構成型識別子と関連した前記第２データ通信パラメータを活用して前記点対多サービスを伝送するステップを更に含む請求項２２に記載の方法。
【請求項２４】
前記第１データ通信パラメータ及び前記第２データ通信パラメータは、各々前記点対多サービスを受信するのに必要なチャネルを構成するためのチャネルパラメータを含む請求項２２に記載の方法。
【請求項２５】
前記第１データ通信パラメータ及び前記第２データ通信パラメータは、各々前記点対多サービスを受信するのに必要なプロトコルエンティティーを構成するためのプロトコルパラメータを含む請求項２２に記載の方法。
【請求項２６】
前記第１データ通信パラメータと第２データ通信パラメータを少なくとも１つのモバイルターミナルに伝送するステップを更に含む請求項２２に記載の方法。
【請求項２７】
前記第１データ通信パラメータと第２データ通信パラメータは、専用チャネルを介して伝送される請求項２６に記載の方法。
【請求項２８】
前記第１データ通信パラメータと第２データ通信パラメータは、共通チャネルを介して伝送される請求項２６に記載の方法。
【請求項２９】
前記第１データ通信パラメータと第２データ通信パラメータは、反復的かつ周期的に伝送される請求項２８に記載の方法。
【請求項３０】
前記第１構成型識別子は、共通チャネルを介して伝送される請求項２２に記載の方法。
【請求項３１】
前記第２構成型識別子は、共通チャネルを介して伝送される請求項２２に記載の方法。
【請求項３２】
点対多サービスを少なくとも１つのモバイルターミナルに提供する方法であって、
対応する格納された構成型識別子を備えた少なくとも１つのデータ通信パラメータのセットを格納するステップと、
前記点対多サービス用構成型識別子を少なくとも１つのモバイルターミナルに伝送するステップと、
前記伝送された構成型識別子と関連した格納データ通信パラメータの少なくとも１つのセットを検索するステップと、
前記検索されたデータ通信パラメータの少なくとも１つのセットを活用して前記点対多サービスを前記少なくとも１つのモバイルターミナルに伝送するステップと、
を含む方法。
【請求項３３】
前記構成型識別子は、共通チャネルを介して受信される請求項３２に記載の方法。
【請求項３４】
前記伝送された構成型識別子に対応する点対多サービス識別子を伝送するステップを更に含む請求項３２に記載の方法。
【請求項３５】
前記点対多サービスは、パケットデータサービスを含む請求項３２に記載の方法。
【請求項３６】
データ通信パラメータの少なくとも１つのセットは、前記点対多サービスを伝送するための共通トラフィックと関連する請求項３２に記載の方法。
【請求項３７】
複数の点対多サービスを少なくとも１つのモバイルターミナルに同時に伝送するステップを更に含み、前記伝送されたサービスはデータ通信パラメータの異なるセットを活用する請求項３２に記載の方法。
【請求項３８】
データ通信パラメータ及び対応する構成型識別子の少なくとも１つのセットがネットワークにプリローディングされる請求項３２に記載の方法。
【請求項３９】
データ通信パラメータ及び対応する構成型識別子の少なくとも１つのセットを前記少なくとも１つのモバイルターミナルに伝送するステップを更に含む請求項３２に記載の方法。
【請求項４０】
点対多サービスを受信するためのモバイル通信装置であって、
第１構成型識別子と第２構成型識別子を受信するように適応されたＲＦモジュールと、
前記第１構成型識別子及び前記第２構成型識別子を受信するように適応されたアンテナと、
ユーザから情報を入力するように適応されたキーパッドと、
前記第１構成型識別子及び前記第２構成型識別子と、第１データ通信パラメータと第２データ通信パラメータを格納するように適応された格納部と、
情報を前記ユーザに伝達するように適応されたディスプレイと、
前記第１構成型識別子と関連した前記第１データ通信パラメータを活用し、前記第２データ通信パラメータと関連した第２構成型識別子を処理し、前記第１構成型識別子と前記第２構成型識別子とを比較し、前記第１データ通信パラメータを活用して前記第１構成型識別子と前記第２構成型識別子が同一である場合、前記点対多サービスを受信するように適応された処理部を含み、
前記第１構成型識別子及び前記第２構成型識別子は、同一点対多サービス用であることを特徴とするモバイル通信装置。
【請求項４１】
前記処理部は前記第２構成型識別子と関連した前記第２データ通信パラメータを活用して前記第１構成型識別子と前記第２構成型識別子が同一でない場合、前記点対多サービスを受信するように更に適応されることを特徴とする請求項４０に記載のモバイル通信装置。
【請求項４２】
前記第１データ通信パラメータ及び前記第２データ通信パラメータは、各々前記点対多サービスを受信するのに必要なチャネルを構成するためのチャネルパラメータを含むことを特徴とする請求項４０に記載のモバイル通信装置。
【請求項４３】
前記第１データ通信パラメータ及び前記第２データ通信パラメータは、各々前記点対多サービスを受信するのに必要なプロトコルエンティティーを構成するためのプロトコルパラメータを含むことを特徴とする請求項４０に記載のモバイル通信装置。
【請求項４４】
前記第１データ通信パラメータ及び前記第２データ通信パラメータは、前記格納部でプリローディングされることを特徴とする請求項４０に記載のモバイル通信装置。
【請求項４５】
前記格納部は、ＳＩＭカードを含むことを特徴とする請求項４０に記載のモバイル通信装置。
【請求項４６】
前記第１データ通信パラメータ及び前記第２データ通信パラメータは、ネットワークから受信されることを特徴とする請求項４０に記載のモバイル通信装置。
【請求項４７】
前記処理部は，前記第１データ通信パラメータ及び前記第２データ通信パラメータを専用チャネルを介して受信されるように更に適応されることを特徴とする請求項４６に記載のモバイル通信装置。
【請求項４８】
前記処理部は、前記第１データ通信パラメータ及び前記第２データ通信パラメータを共通チャネルを介して受信されるように更に適応されることを特徴とする請求項４６に記載のモバイル通信装置。
【請求項４９】
前記第１データ通信パラメータ及び前記第２データ通信パラメータは、反復的かつ周期的に受信されることを特徴とする請求項４８に記載のモバイル通信装置。
【請求項５０】
前記処理部は、前記第１構成型識別子を共通チャネルを介して受信するように更に適応されることを特徴とする請求項４０に記載のモバイル通信装置。
【請求項５１】
前記処理部は、前記第２構成型識別子を共通チャネルを介して受信するように更に適応されることを特徴とする請求項４０に記載のモバイル通信装置。
【請求項５２】
前記第１構成型識別子は第１セルと関連し、前記第２構成型識別子は第２セルと関連することを特徴とする請求項４０に記載のモバイル通信装置。
【請求項５３】
点対多サービスを受信するためのモバイル通信装置であって、
構成型識別子を受信するように適応されたＲＦモジュールと、
前記構成型識別子を受信するように適応されたアンテナと、
ユーザから情報を入力するように適応されたキーパッドと、
データ通信パラメータ及び対応する構成型識別子のうち、少なくとも１つのセットを格納するように適応された格納部と、
情報を前記ユーザに伝達するように適応されたディスプレイと、
前記点対多サービス用構成型識別子を処理し、前記受信された構成型識別子と関連した格納データ通信パラメータの少なくとも１つのセットを検索し、前記検索されたデータ通信パラメータの少なくとも１つのセットを活用して前記点対多サービスを受信するように適応された処理部と、
を含むことを特徴とするモバイル通信装置。
【請求項５４】
前記処理部は、前記構成型識別子を共通制御チャネルを介して受信するように適応することを特徴とする請求項５３に記載のモバイル通信装置。
【請求項５５】
前記処理部は、前記構成型識別子を受信する時に如何なる応答も伝送しないように適応されたことを特徴とする請求項５３に記載のモバイル通信装置。
【請求項５６】
前記処理部は、前記受信された構成型識別子に対応する点対多サービス識別子を処理するように適応されたことを特徴とする請求項５３に記載のモバイル通信装置。
【請求項５７】
前記点対多サービスは、パケットデータサービスを含むことを特徴とする請求項５３に記載のモバイル通信装置。
【請求項５８】
データ通信パラメータの少なくとも１つのセットは、前記点対多サービスを受信するための共通トラフィックチャネルと関連することを特徴とする請求項５３に記載のモバイル通信装置。
【請求項５９】
前記処理部は、１つ以上のデータ通信パラメータのセットを同時に使用するように適応されたことを特徴とする請求項５３に記載のモバイル通信装置。
【請求項６０】
データ通信パラメータ及び対応する構成型識別子の少なくとも１つのセットは、前記格納部にプリローディングされることを特徴とする請求項５３に記載のモバイル通信装置。
【請求項６１】
データ通信パラメータ及び対応する構成型識別子の少なくとも１つのセットが、ネットワークから受信されることを特徴とする請求項５３に記載のモバイル通信装置。
【請求項６２】
点対多サービスを少なくとも１つのモバイルターミナルに提供するネットワークであって、
構成型識別子及び関連したデータ通信パラメータを少なくとも１つのモバイルターミナルに伝送するように適応された送信器と、
少なくとも１つのモバイルターミナルから情報を受信するように適応された受信器と、
第１構成型識別子と関連した第１データ通信パラメータを活用して前記点対多サービスを少なくとも１つのモバイルターミナルに提供し、第２データ通信パラメータと関連した第２構成型識別子を少なくとも１つのモバイルターミナルに伝送するように適応された制御器を含み、
前記第２構成型識別子は同一点対多サービス用であることを特徴とするネットワーク。
【請求項６３】
前記制御器は、前記第２構成型識別子と関連した前記第２データ通信パラメータを活用して前記点対多サービスを伝送するように適応されたことを特徴とする請求項６２に記載のネットワーク。
【請求項６４】
前記第１データ通信パラメータ及び前記第２データ通信パラメータは、各々前記点対多サービスを受信するのに必要なチャネルを構成するためのチャネルパラメータを含むことを特徴とする請求項６２に記載のネットワーク。
【請求項６５】
前記第１データ通信パラメータ及び前記第２データ通信パラメータは、各々前記点対多サービスを受信するのに必要なプロトコルエンティティーを構成するためのプロトコルパラメータを含むことを特徴とする請求項６２に記載のネットワーク。
【請求項６６】
前記制御器は、前記第１データ通信パラメータ及び前記第２データ通信パラメータを少なくとも１つのモバイルターミナルに伝送するように適応されたことを特徴とする請求項６２に記載のネットワーク。
【請求項６７】
前記制御器は、前記第１データ通信パラメータ及び前記第２データ通信パラメータを専用チャネルを介して伝送するように適応されたことを特徴とする請求項６６に記載のネットワーク。
【請求項６８】
前記制御器は、前記第１データ通信パラメータ及び前記第２データ通信パラメータを共通チャネルを介して伝送するように適応されたことを特徴とする請求項６６に記載のネットワーク。
【請求項６９】
前記制御器は、前記第１データ通信パラメータ及び前記第２データ通信パラメータを反復的かつ周期的に伝送するように適応されたことを特徴とする請求項６８に記載のネットワーク。
【請求項７０】
前記制御器は、前記第１構成型識別子を共通チャネルを介して伝送するように適応されたことを特徴とする請求項６２に記載のネットワーク。
【請求項７１】
前記制御器は、前記第２構成型識別子を共通チャネルを介して伝送するように適応されたことを特徴とする請求項６２に記載のネットワーク。
【請求項７２】
点対多サービスを提供するネットワークであって、
構成型識別子及び関連したデータ通信パラメータを少なくとも１つのモバイルターミナルに伝送するように適応された送信器と、
少なくとも１つのモバイルターミナルから情報を受信するように適応された受信器と、
データ通信パラメータ及び対応する構成型識別子の少なくとも１つをセット格納し、前記点対多サービス用構成型識別子を少なくとも１つのモバイルターミナルに伝送し、前記伝送された構成型識別子と関連した格納されたデータ通信パラメータの少なくとも１つのセットを検索し、データ通信パラメータの検索された少なくとも１つのセットを活用して前記点対多サービスを少なくとも１つのモバイルターミナルに伝送するように適応されたことを特徴とするネットワーク。
【請求項７３】
前記制御器は、前記構成型識別子を共通制御チャネルを介して伝送するように適応されたことを特徴とする請求項７２に記載のネットワーク。
【請求項７４】
前記制御器は、前記伝送された構成型識別子に対応する点対多サービスを伝送するように適応されたことを特徴とする請求項７２に記載のネットワーク。
【請求項７５】
前記点対多サービスは、パケットデータサービスを含むことを特徴とする請求項７２に記載のネットワーク。
【請求項７６】
データ通信パラメータの少なくとも１つのセットは前記点対多サービスを伝送するための共通トラフィックチャネルと関連したことを特徴とする請求項７２に記載のネットワーク。
【請求項７７】
前記制御器は、複数の点対多サービスを少なくとも１つのモバイルターミナルに伝送するように適応され、各サービスはデータ通信パラメータの異なるセットを活用して伝送されることを特徴とする請求項７２に記載のネットワーク。
【請求項７８】
データ通信パラメータ及び対応する構成型識別子の少なくとも１つのセットは、前記格納部にプリローディングされることを特徴とする請求項７２に記載のネットワーク。
【請求項７９】
前記制御器は、データ通信パラメータ及び対応する構成型識別子の少なくとも１つのセットを少なくとも１つのモバイルターミナルに伝送するように適応されたことを特徴とする請求項７２に記載のネットワーク。
【発明の詳細な説明】
【技術分野】
【０００１】
本発明は、ＵＭＴＳ（Universal Mobile Telecommunications System）に提供されたラジオブロードキャスト／マルチメディアサービスに関し、特に、ＵＥ（user equipment）がセル間で移動する際、ラジオベアラー（bearer）を速く構築するための、プロトコルパラメータとチャネルパラメータのようなラジオベアラーパラメータの基準構成を活用することにより、点対多マルチメディアサービスのラジオベアラーを構築する方法と装置に関する。
【背景技術】
【０００２】
ＵＭＴＳは、ヨーロッパ式標準のモバイル通信システム用グローバルシステムから発展した３世代のモバイル通信システムである。ＵＭＴＳは、ＧＳＭコアネットワークとワイドバンドコード分割多元接続技術を基にして強化されたモバイル通信サービスを提供することを目的とする。
【０００３】
従来のＵＭＴＳネットワーク構造１が図１に図示されている。１つのモバイルターミナル２またはＵＥ（User Equipment）は、ＵＴＲＡＮ（UTMS terrestrial radio access network）６を通じてコアネットワーク４に連結される。ＵＴＲＡＮ６はサービス品質の最高品質を満足させるためにＵＥ２とコアネットワーク４との間に通信するためのラジオアクセスベアラーを構成し、維持し、管理する。
【０００４】
ＵＴＲＡＮ６は、各々が１つのラジオネットワーク制御器（ＲＮＣ）１０及び複数の基地局１２すなわち“ノードＢ”を含む複数のラジオネットワークサブシステム８を含む。所定の基地局１２に連結されたＲＮＣ１０は１つのセルで動作する任意の数のＵＥに提供された共通リソースを割り当てて管理するための制御ＲＮＣである。制御ＲＮＣ１０はトラフィックロード、セル混雑、新しいラジオリンクの受容を制御する。各ノードＢ１２はＵＥ２からアップリンク信号を受信し、ダウンリンク信号をＵＥに伝送する。各ノードＢ１２はＵＥ２がＵＴＲＡＮ６に連結されるようにするアクセスポイントとして作用し、ＲＮＣ１０は対応するノードＢをコアネットワーク４に連結するためのアクセスポイントとして作用する。
【０００５】
ＵＴＲＡＮ６のラジオネットワークサブシステム８の中で、サービング（serving）ＲＮＣ１０は特定のＵＥ２へサービスを提供するための専用ラジオリソースを管理するＲＮＣであり、特定のＵＥへのデータ伝送のためのコアネットワーク４に対するアクセスポイントである。ＵＥ２に連結された全ての他のＲＮＣ１０は、ドリフト（drift）ＲＮＣであり、ＵＥをＵＴＲＡＮ４を通じてコアネットワーク４に連結するのは１つのサービングＲＮＣのみある。ドリフトＲＮＣ１０はユーザデータのルーティングを容易にし、コードを共通リソースとして割り当てる。
【０００６】
ＵＥ２とＵＴＲＡＮ６との間のインターフェースは、物理層（Ｌ１）、データリンク層（Ｌ２）、ネットワーク層（Ｌ３）を記述する３ＧＰＰラジオアクセスネットワーク仕様により設定されたラジオインターフェースプロトコルを通じて具現される。制御プレーンはインターフェースのメンテナンス及び管理のための制御情報を搬送するのに用いられ、ユーザプレーンはデータトラフィック、例えば音声信号及びインターネットプロトコルパケット伝送を搬送するのに用いられる。従来のラジオインターフェースプロトコルのアーキテクチャは図２に図示される。
【０００７】
物理ＰＨＹ層は、情報伝送サービスを上位層に提供し、トランスポートチャネルを介してＭＡＣ（medium access control)層にリンクされる。ＭＡＣ層は、ＭＡＣ−ｂエンティティー、ＭＡＣ−ｄエンティティー、ＭＡＣ−ｃ／ｓｈエンティティーを含む。
【０００８】
ＭＡＣ−ｂエンティティーは、システム情報のブロードキャストを担当するトランスポートチャネルとしてブロードキャストチャネルを管理する。ＭＡＣ−ｃ／ｓｈエンティティーは、セル内の他のＵＥ２と共有される共通トランスポートチャネル、例えばフォワードアクセスチャネルとダウンリンク共有チャネルを管理して、１つのＭＡＣ−ｃ／ｓｈエンティティーが各セルに存在し、制御ＲＮＣ１０に位置する。したがって、各ＵＥ２は１つのＭＡＣ−ｃ／ｓｈエンティティーを備える。ＭＡＣ−ｄエンティティーは、特定のＵＥ２に関する専用トランスポートチャネルを管理して、ＭＡＣ−ｄエンティティーがサービングＲＮＣ１０に位置し、各ＵＥがまた１つのＭＡＣ−ｄエンティティーを備えることになる。
【０００９】
本発明の従来の方法によれば、点対多サービス、例えばＭＢＭＳ（multimedia broadcast／ｍulticast service）を提供するために、ＭＢＭＳ機能はＭＡＣ−ｃ／ｓｈエンティティーの機能に付加されて、ＭＡＣ−ｃ／ｓｈ／ｍ層を生成する。ＵＴＲＡＮ６にはセル当たり１つのＭＡＣ−ｃ／ｓｈ／ｍ層とＵＥ当たり１つのＭＡＣ−ｃ／ｓｈ／ｍ層がある。
【００１０】
ＲＬＣ（radio link control）層は信頼性あるデータの伝送を支援し、上位層から伝えられたＲＬＣサービスデータユニットの分割と連結（segmentation and concatenation）を担当する。ＲＬＣサービスデータユニットの大きさは、ＲＬＣ層内の処理能力に合うように調節され、ヘッダはＭＡＣ層への伝達のためのＲＬＣプロトコルデータユニットを形成するために付加される。
【００１１】
上位層から伝えられたサービスデータとプロトコルデータの形成ユニットは、ＲＬＣ層のＲＬＣバッファーに格納される。ＲＬＣサービスはユーザプレーン上のサービス特定プロトコル層、即ちＢＭＣ（broadcast/multicast control）プロトコル及びＰＤＣＰ（packet data convergence protocol）により使用されて、制御プレーン上でトランスポートをシグナルリングするためのＲＲＣ（radio resource control）により使われる。
【００１２】
ＢＭＣ層は、コアネットワークから伝えられたセルブロードキャストメッセージをスケジューリングし、セルブロードキャストメッセージが適切なセル内の対応するＵＥ２にブロードキャストされるようにすることができる。例えば、メッセージ識別子、一連番号、コーディングスキームなどのヘッダ情報がセルブロードキャストメッセージに付加されて、ＲＬＣ層への伝達のためのブロードキャスト／マルチキャスト制御メッセージを生成する。
【００１３】
ＲＬＣ層は、ＲＬＣヘッダ情報をブロードキャスト／マルチメディア制御メッセージに付加して、このメッセージを論理チャネルとして共通トラフィックチャネルを介してＭＡＣ層に伝送する。ＭＡＣ層は共通トラフィックチャネルをトランスポートチャネルとしてフォワードアクセスチャネルにマッピングする。トランスポートチャネルは物理チャネルとして第２の共通制御物理チャネルにマッピングされる。
【００１４】
ＰＤＣＰ層は、比較的小さな帯域幅を有するラジオインターフェースを通じてデータを效率よく伝送する。ＰＤＣＰ層は、ネットワークプロトコル、例えばＩｐｖ４またはＩｐｖ６と、無線ネットワークで活用される不要な制御情報を除去するためのヘッダ圧縮技術を利用する。ＰＤＣＰ層はヘッダに本質的な情報のみ伝送に含まれるので、伝送効率を強化する。
【００１５】
ＲＲＣ層は、ＵＥ２とＵＴＲＡＮ６との間のネットワーク層（Ｌ３）の制御プレーンシグナルリングを操作し、ラジオベアラーの設定、再構成、解除のためにトランスポートチャネルと物理チャネルを制御する。ラジオベアラーはＵＥ２及びＵＴＲＡＮ６により予め決定されたサービスの品質を保障するために、ＵＥ２とＵＴＲＡＮ６との間のデータ伝送のための下位層、例えばＲＬＣ層またはＭＡＣ層により提供されるサービスである。
【００１６】
ラジオベアラーの設定は、特定のサービスを提供するのに必要とするプロトコル層とチャネルの規則的な特徴を決定して、サービスのパラメータや動作方法を設定する。特定のＵＥ２のＲＲＣ層とＵＴＲＡＮ６のＲＲＣ層との間にメッセージ伝送を許すように連結が設定される際、ＵＥはＲＲＣ−連結状態にあると言われる。このような連結がないならば、ＵＥ２はアイドル状態にある。
【００１７】
ＭＢＭＳは、ダウンリンク専用ＭＢＭＳラジオベアラーを利用する複数のＵＥ２に提供されたストリーミングまたはバックグラウンドサービスである。ＵＴＲＡＮ６において、ＭＢＭＳは点対多または点対点ラジオベアラーを活用する。
【００１８】
ＭＢＭＳブロードキャストモードにおいて、マルチメディアデータは、ブロードキャスト領域、例えばブロードキャストサービスが利用可能なドメイン内の全てのＵＥ２に伝送される。ＭＢＭＳマルチキャストモードにおいて、特定のＵＥ２グループ用マルチメディアデータはマルチキャスト領域、例えばマルチキャストサービスが利用可能なドメイン内で伝送される。
【００１９】
ＭＢＭＳは、２つの論理チャネルの支援を要求する。一つはＭＢＭＳ制御プレーン情報を伝送するための点対多ダウンリンクチャネルであるＭＣＣＨ（MBMS control channel）で、他はＭＢＭＳデータをＵＥに伝送するための点対多ダウンリンクチャネルであるＭＴＣＨ（MBMS traffic channel）である。１つのＭＣＣＨチャネルは各セルに存在し、１つのＭＴＣＨチャネルは特定のセル内の各特定ＭＢＭＳに対して存在する。論理チャネル全てはトランスポートチャネル、例えばＦＡＣＨ（forward access channel）及びＳ−ＣＣＰＣＨ（secondary control physical channel）にマッピングされる。
【００２０】
図３は、ＲＮＣ１０の構成が１つは３つのセルを管理し、もう１つが１つのセルを管理する２つのノードＢを有する従来のＭＴＣＨプロトコルを図示する。各セルは、ＵＴＲＡＮ６側でＭＴＣＨ及びＭＢＭＳ毎に全てのＰＨＹ、ＲＬＣ、ＰＤＣＰエンティティー用ラジオベアラーパラメータを個別的に構成する。同一エンティティーはＵＥ２側で類似に設定される（図示していない）。
【００２１】
しかしながら、従来の方法においては、ＵＴＲＡＮ６は各セルに対するラジオベアラーパラメータを独立的に構成し、再構成する。したがって、同一サービスを提供するにもかかわらず、ラジオベアラーパラメータは異なるように構成されるので、プロトコルエンティティーとチャネルは異なるように動作する。ＵＥ２が異なるセルに移動する度に新しいプロトコルパラメータを構成する必要があるため、ラジオベアラーが新しく設定される前に好ましくない遅延が生じ、ＵＥはラジオベアラーを持たず、これによって、ＭＢＭＳデータも受信できない。ＵＥ２が新しいセルに移動する際、データ損失が発生し、ＵＥはいろいろなセルからの値がソフトハンドオーバーの間結合されるソフトハンドオーバー結合利得を達成できない。
【００２２】
したがって、データ損失なしにプロトコルパラメータを再構成し、ソフトハンドオーバーを通じてソフト結合利得を達成するためにモバイルターミナルがセル同士間に移動するようにする方法と装置に対する必要が生じることになった。本発明はこれら及び他の必要を指向する。
【発明の開示】
【発明が解決しようとする課題】
【００２３】
本発明は、基準構成を活用することにより、ラジオベアラーパラメータを構成する方法と装置に向けられる。特に、本発明は同一または均等値、プロトコル、チャネルパラメータが各セルに対して設定されるように基準構成を活用することにより特定の点対多サービス用ラジオベアラーパラメータを構成する方法と装置に向けられる。
【課題を解決するための手段】
【００２４】
本発明の付加的な特徴及び利点は次の説明に開示され、部分的には次の説明から自明であり、または、本発明の教示により学習できる。本発明の目的及び利点は開示された説明及び特許請求範囲と添付の図面で特別に指摘された構造により実現され、獲得される。
【００２５】
本発明のこれら目的及び他の利点を達成するための本発明の目的によれば、以下に開示されたように、本発明は特定の点対多サービスを提供するためにネットワークにより活用される基準構成に関する情報をモバイルターミナルに提供する方法と装置で具現される。モバイルターミナルが他のセルに移動する際、モバイルターミナルに新しい構成を通知すれば、特定の点対多サービスを引続き受信するのに必要なパラメータを識別することができる。
【００２６】
本発明の一態様によれば、モバイルターミナルにおける点対多サービスを受信する方法が提供される。この方法は、点対多サービスに対する第１構成型識別子と関連した第１データ通信パラメータを活用するステップと、同一点対多サービスに対する第２データ型通信パラメータと関連した第２構成型識別子を受信するステップと、第１構成型識別子と第２構成型識別子とを比較するステップと、第１構成型識別子と第２構成型識別子が同一な場合、点対多サービスを受信するために第１データ通信パラメータを活用するステップとを含む。
【００２７】
第１と第２データ通信パラメータは、点対多サービスを受信するのに必要なチャネルを構成するためのチャネルパラメータを各々含む。更に、第１と第２データ通信パラメータが点対多サービスを受信するのに必要なプロトコルエンティティーを構成するためのプロトコルパラメータを各々含む。好ましい実施態様において、本方法は第１構成型識別子と第２構成型識別子が同一でない場合、点対多サービスを受信するために第２構成型識別子と関連した第２データ通信パラメータを活用するステップを更に含む。
【００２８】
第１データ通信パラメータと第２データ通信パラメータは、モバイルターミナルにプリローディングされる。代案的に、第１データ通信パラメータと第２データ通信パラメータはネットワークから受信できる。
【００２９】
第１データ通信パラメータと第２データ通信パラメータがネットワークから受信されるとすると、これらパラメータは専用チャネルまたは共通チャネルを介して受信される。第１データ通信パラメータと第２データ通信パラメータは共通チャネルを介して反復的に、かつ、周期的に受信される。
【００３０】
第１構成型識別子は、共通チャネルを介して受信される。同様に、第２構成型識別子は共通チャネルを介して受信される。好ましくは、モバイルターミナルが第１セルから第２セルに移動する際、第１構成型識別子は第１セルと関連し、第２構成型識別子は第２セルと関連する。
【００３１】
本発明の他の態様では、モバイルターミナルで点対多サービスを受信する方法が提供される。本方法は、対応する格納された構成型識別子を備えたパラメータセットの各々を有するデータ通信パラメータのセットを格納するステップと、点対多サービスに対する構成型識別子を受信するステップと、受信された構成型識別子と関連したデータ通信パラメータのセットを検索するステップと、点対多サービスを受信するためにデータ通信パラメータの検索されたセットを活用するステップとを含む。
【００３２】
構成型識別子は、共通制御チャネルを介して受信される。本方法は受信された構成型識別子に対応する点対多サービスを受信するステップを含む。好ましくは、点対多サービスはパケットデータサービスである。モバイルターミナルは構成型識別子の受信時に任意の応答を伝送しない。
【００３３】
データ通信パラメータのセットは、点対多サービスを受信するための共通トラフィックチャネルと関連する。データ通信パラメータの１つ以上のセットは同時に活用される。
【００３４】
データ通信パラメータと対応する構成型識別子のセットは、モバイルターミナルにプリローディングされる。代案的に、データ通信パラメータ及び対応する構成型識別子のセットはネットワークから受信できる。
【００３５】
本発明の他の態様では、点対多サービスを１つ以上のモバイルターミナルに提供する方法が提供される。本方法は、点対多サービスをモバイルターミナルに伝送するために第１構成型識別子と関連した第１データ通信パラメータを活用するステップと、同一点対多サービスに対する第２データ通信パラメータと関連した第２構成型識別子をモバイルターミナルに伝送するステップとを含む。
【００３６】
第１データ通信パラメータと第２データ通信パラメータは、点対多サービスを受信するのに必要なチャネルを構成するためのチャネルパラメータを各々含む。第１データ通信パラメータと第２データ通信パラメータは、点対多サービスを受信するのに必要なプロトコルエンティティーを構成するためのプロトコルパラメータを各々含む。好ましい実施態様において、本方法は点対多サービスをモバイルターミナルに伝送するために第２構成型識別子と関連した第２データ通信パラメータを活用するステップを更に含む。
【００３７】
本方法は、第１データ通信パラメータと第２データ通信パラメータをモバイルターミナルに伝送するステップを更に含む。第１データ通信パラメータと第２データ通信パラメータは専用チャネルまたは共通チャネルを介して伝送される。第１データ通信パラメータと第２データ通信パラメータは共通チャネルを介して反復的かつ周期的に伝送される。
【００３８】
第１構成型識別子は、共通チャネルを介して伝送される。第２構成型識別子は、共通チャネルを介して伝送される。
【００３９】
本発明の更に他の態様では、点対多サービスを１つ以上のモバイルターミナルに提供する方法が提供される。本方法は対応する格納された構成型識別子を備えたパラメータセットの各々を有するデータ通信パラメータのセットを格納するステップと、点対多サービスに対する構成型識別子をモバイルターミナルに伝送するステップと、伝送された構成型識別子と関連したデータ通信パラメータのセットを検索するステップと、点対多サービスをモバイルターミナルに伝送するためにデータ通信パラメータの検索されたセットを活用するステップとを含む。
【００４０】
構成型識別子は、共通制御チャネルを介して受信される。本方法は伝送された構成型識別子に対応する点対多サービス識別子を伝送するステップを含む。
【００４１】
データ通信パラメータのセットは、点対多サービスを伝送するための共通トラフィックチャネルと関連する。複数の点対多サービスは１つ以上のデータ通信パラメータのセットを活用するモバイルターミナルに同時に伝送される。好ましくは、点対多サービスはパケットデータサービスである。
【００４２】
データ通信パラメータ及び対応する構成型識別子のセットはネットワークにプリローディングされる。本方法は、データ通信パラメータと対応する構成型識別子のセットをモバイルターミナルに伝送するステップを含む。
【００４３】
本発明の更に他の態様において、点対多サービスを受信するためのモバイル通信装置が提供される。モバイル通信装置は、ＲＦモジュール、アンテナ、キーパッド、ディスプレイ、格納部、処理部を含む。
【００４４】
ＲＦモジュールとアンテナが構成型識別子を受信する。キーパッドによってユーザが情報を入力できる。ディスプレイは情報をユーザに伝達する。格納部は構成型識別子と関連したデータ通信パラメータを格納する。処理部は本発明の方法を実施して、第１構成型識別子と関連した点対多サービス用第１データ通信パラメータを活用し、点対多サービス用第２データ通信パラメータと関連した第２構成型識別子を処理し、第１構成型識別子と第２構成型識別子とを比較し、第１構成型識別子と第２構成型識別子が同一である場合、点対多サービスを受信するために第１データ通信パラメータを活用する。第１構成型識別子と第２構成型識別子が同一でない場合、処理部は点対多サービスを受信するために第２構成型識別子と関連した第２データ通信パラメータを活用する。
【００４５】
本発明の更に他の態様において、点対多サービスを受信するためのモバイル通信装置が提供される。モバイル通信装置は、ＲＦモジュール、アンテナ、キーパッド、ディスプレイ、格納部及び処理部を含む。
【００４６】
ＲＦモジュールとアンテナが構成型識別子を受信する。キーパッドによってユーザが情報を入力できる。ディスプレイは情報をユーザに伝達する。格納部はデータ通信パラメータや対応する構成型識別子を格納する。処理部は本発明の方法を実施して、第１構成型識別子と関連した点対多サービス用第１データ通信パラメータを活用し、点対多サービス用構成型識別子を処理し、受信された構成型識別子と関連した格納されたデータ通信パラメータのセットを検索し、点対多サービスを受信するためにデータ通信パラメータの検索されたセットを活用する。
【００４７】
本発明の更に他の態様では、点対多サービスをモバイルターミナルに提供するためのネットワークが提供される。ネットワークは、送信器、受信器、制御器を含む。
【００４８】
送信器は、構成型識別子及び関連したデータ通信パラメータを１つ以上のモバイルターミナルに伝送する。受信器は、モバイルターミナルから情報を受信する。制御器は本発明の方法を実施して、点対多サービスをモバイルターミナルに提供するために第１構成型識別子と関連した第１データ通信パラメータを活用し、同一点対多サービス用第２データ通信パラメータと関連した第２構成型識別子をモバイルターミナルに伝送する。
【００４９】
本発明の更に他の態様ではサービスをモバイルターミナルに提供するためのネットワークが提供される。ネットワークは、送信器、受信器、制御器を含む。
【００５０】
送信器は、構成型識別子と関連したデータ通信パラメータを１つ以上のモバイルターミナルに伝送する。受信器は、モバイルターミナルから情報を受信する。制御器は、本発明の方法を実施して、データ通信パラメータと対応する構成型識別子のセットを格納し、点対多サービス用構成型識別子をモバイルターミナルに伝送し、伝送された構成型識別子と関連した格納されたデータ通信パラメータを検索し、点対多サービスをモバイルターミナルに伝送するためにデータ通信パラメータの検索されたセットを活用する。
【００５１】
本発明の前述した説明及び次の詳細な説明は特許請求範囲に開示された本発明の追加の理解を提供し、例示的であることに留意しなければならない。
【００５２】
本発明は、モバイル通信システムに適用可能である。
【発明を実施するための最良の形態】
【００５３】
本発明は、ＵＭＴＳのようなモバイル通信システムに提供されたＭＢＭＳのような特定の点対多サービス用ラジオベアラーパラメータを、各々のセルに対する同一または均等値、プロトコルパラメータ、チャネルパラメータを設定することにより構成する方法と装置に向けられている。本発明がＵＭＴＳ内のモバイルターミナルに関して例示されるが、本発明はモバイル通信システムに提供された特定の点対多サービス用ラジオベアラーを構成することを希望すれば何時でも活用できるので、同一プロトコルパラメータとチャネルパラメータがシステムの各セルにサービスを提供することに活用される。
【００５４】
以下、参考に、本発明の好ましい実施形態で詳細に開示され、例として図面に図示される。図面において、類似の構成要素は、同一、または、類似の図面符号を利用して表示される。
【００５５】
本発明に係るラジオベアラーパラメータを構成するために、ＵＴＲＡＮ６は好ましくは、少なくとも１つのＭＢＭＳ伝送に活用されるプロトコルとチャネルパラメータの特定値のセットである基準構成を定義する。
【００５６】
１つ以上のＭＢＭＳを提供するために、ＵＴＲＡＮ６は基準構成タイプを定義するプロトコルパラメータとチャネルパラメータのような１つのセットの構成値を含む各タイプを有する複数の基準構成タイプを定義する。したがって、異なる基準構成タイプは異なる構成値を有する。
【００５７】
特定のＭＢＭＳを提供するために、ＵＴＲＡＮ６は好ましくは１つの基準構成タイプを選択し、対応する構成値、例えばプロトコルとチャネルパラメータを利用してＭＢＭＳデータを伝送するのに必要なプロトコルエンティティー及び論理／トランスポート／物理チャネルを構成する。ＵＴＲＡＮ６は複数のＵＥ２に選択された基準構成タイプのＭＢＭＳを受信することを希望すると知らせる。ＵＥ２は選択された基準構成タイプに対応するチャネルパラメータとプロトコルの構成値によってプロトコルエンティティーとチャネルを構成する。
【００５８】
本発明によれば、プロトコルエンティティーは、ＰＤＣＰ、ＲＬＣ、ＭＡＣサブ層を含むＬ２層のラジオインターフェースプロトコルであり、チャネルは、論理チャネル、トランスポートチャネル、物理チャネルを含む。したがって、専用構成タイプに対応するプロトコルとチャネルパラメータの構成値は、ＰＤＣＰ、ＲＬＣ、ＭＡＣサブ層のパラメータ値と、論理チャネル、トランスポートチャネル、物理チャネルのパラメータ値とを含む。
【００５９】
図４は、本発明に係るＭＢＭＳのラジオベアラーを設定する方法１００を示す。図４において、ＵＥ２はＭＢＭＳを受信することを希望する複数のＵＥ中の１つを表し、好ましくはＵＥはＭＢＭＳと結合されている。
【００６０】
コアネットワーク４は、ＱｏＳ（quality of service）情報をＵＴＲＡＮ６に伝送する（Ｓ１０２）。ＱｏＳ情報はコアネットワークのＳＧＳＮ（serving GPRS support node）からＵＴＲＡＮ６に伝送される。ＵＴＲＡＮ６のＲＲＣ層はＱｏＳ情報パラメータを支援する基準構成タイプを決める（Ｓ１０４）。
【００６１】
ＵＴＲＡＮ６のＲＲＣ層はラジオベアラーが設定されるようにするために、ＵＴＲＡＮ６のＬ１／Ｌ２プロトコルエンティティーに決まった基準構成タイプを知らせる（Ｓ１０６）。基準構成タイプを表す情報は特定ＭＢＭＳを提供するためのラジオベアラー設定情報を含む。ＵＴＲＡＮ６のＲＲＣ層は情報を複数のＵＥにマルチキャスト／ブロードキャストすることによりＵＥ２のＲＲＣ層に基準構成型情報を伝送する（Ｓ１０８）。各々のＵＥ２は結合されるＭＢＭＳまたはサービスに対する基準構成型情報を受信する。
【００６２】
ＵＥ２ＲＲＣ層は受信された基準構成型情報から基準構成タイプを認識し、ラジオベアラー設定情報をＵＥのL１／L２プロトコル情報に伝送する（Ｓ１１０）。ＵＥ２のL１／L２プロトコルエンティティーは、ラジオベアラー設定情報によってラジオベアラーを設定する。ＵＴＲＡＮ６のＬ１／Ｌ２プロトコルエンティティーは、ＭＢＭＳデータを設定されたラジオベアラーを通じてＵＥ２に伝送する（Ｓ１１４）。
【００６３】
ＵＴＲＡＮ６とＵＥ２層が、図４に図示された方法１００のステップを実行する前に、利用可能な基準構成タイプとそれらのパラメータのような獲得された基準構成情報を有すると仮定する。ＵＥ２は今後の使用のためのＵＥに格納された基準構成のような３つのスキームの中の１つに従う基準構成を獲得する。ＵＥ２は基準構成情報から対応する基準構成タイプを表す情報を獲得し、基準構成情報がＵＥに格納される際、ＵＴＲＡＮ６が基準構成タイプを変更しない限りＵＥがこのような情報をまた受信する必要がない。
【００６４】
第１スキームにおいて、基準構成タイプと対応するパラメータの値は、例えばＵＥ製造業者によりＵＥ２に予め格納される。第２スキームにおいて、基準構成タイプと対応するパラメータの値は今後の使用のためにＵＥで使用され、格納される前にＵＴＲＡＮ６から特定ＵＥ２に直接伝送される。第３スキームにおいて、基準構成タイプと対応するパラメータの値は今後の使用のためにＵＥで使用され、格納される前に、ＵＴＲＡＮ６によりセル内のＵＥ２にマルチキャストまたはブロードキャスト、好ましくは、反復的、かつ、周期的にマルチキャストまたはブロードキャストされる。
【００６５】
図５は、ＵＥ２のハンドオーバーの間実施される図４の方法の第１実施形態２００を図示する。図５において、ハンドオーバーは同一サービスに対して同一基準構成タイプを活用するセルの間に生じる。したがって、所定のサービスにおいて、各セルのプロトコルパラメータとチャネルパラメータは同一値に各々設定される。
【００６６】
図５に示すように、ＵＥ２はＵＥがＭＢＭＳを初期に受信する第１ＲＮＣＲＮＣ１１０により管理される第１セルから第２ＲＮＣＲＮＣ２により管理される第２セルに移動する。図５に図示された実施形態はまたＵＥ２が同一ＲＮＣ１０により管理されるセル間に移動する時に適用可能である。
【００６７】
ＲＮＣ１により管理される第１セルに位置する間、ＵＥ２はＲＮＣ１から特定ＭＢＭＳに対応する基準構成タイプを受信する（Ｓ２０２）。例えば、前述した３つのスキームの中の１つにより以前に獲得されたデータを含むＵＥ２に格納されたルックアップテーブルから受信された基準構成タイプと内部基準データにしたがって、ＵＥはＭＢＭＳラジオベアラーを設定し、ＭＢＭＳデータを受信する（Ｓ２０４）。
【００６８】
その後、ＵＥ２はＲＮＣ１により管理される第１セルからＲＮＣ２により管理される第２セルに移動する（Ｓ２０６）。ＲＮＣ２により管理される第２セルに位置する間、ＵＥ２は以前のセルに設定されたラジオベアラーを利用してＭＢＭＳデータを続けて受信する（Ｓ２０８）。
【００６９】
同一サービスに対する同一基準構成タイプを活用する際、特定ＭＢＭＳを識別する１つのサービス識別子が１つの特定基準構成タイプにマッピングされる。各々のＲＮＣ１０は３つのプロセスの中の１つにより特定ＭＢＭＳに対する同一基準構成タイプを決める。
【００７０】
第１プロセスにおいて、ＲＮＣ１０は同一基準構成タイプを活用するために各々のセルに向かう。このようなプロセスは同一ノードＢ１２の全てのセルと同一ＲＮＣ１０の全てのセルに適用可能である。ここで、全てのセルはコアネットワーク４で同一ＲＮＣにより管理され、対応するＲＮＣが同一基準構成タイプを活用できるようにする。
【００７１】
第２プロセスにおいて、コアネットワーク４のＳＧＳＮは各々のセルが同一基準構成タイプを活用できるようにする。このようなプロセスは、コアネットワーク４で同一ノードＢ１２の全てのセル、同一ＲＮＣ１０の全てのセル、同一ＳＧＳＮの全てのセルに適用可能であり、これらセルはＲＮＣ１０が同一基準構成タイプを活用するようにする同一ＳＧＳＮに連結される。
【００７２】
第３プロセスにおいて、ネットワーク提供者、例えば操作者は各々のセルが同一基準構成タイプを使用できるようにする。したがって、同一基準構成タイプはネットワーク提供者により管理される全てのセルに対して活用される。
【００７３】
前述したプロセスは、ＭＢＭＳ用基準構成タイプが変更される場合も適用される。好ましくは、同一基準構成タイプを活用する特定ＭＢＭＳを提供するセルの各々は、同時に対応するＭＢＭＳの基準構成タイプを変更する。本発明において、同一基準構成タイプを活用する特定ＭＢＭＳを提供しようとするセルは、同時に対応するタイプを決定し、変更する。基準構成タイプの変更は、ラジオベアラーパラメータ、例えばプロトコルパラメータとチャネルパラメータの変更を含む。
【００７４】
全てのセルが特定ＭＢＭＳに対して同一基準構成タイプを利用できなければ、図６に図された実施形態３００が適用可能である。図６はＵＥ２のハンドオーバーの間実施される図４の方法の第２実施形態３００を図示する。
【００７５】
図６において、ハンドオーバーが同一サービスに対して異なる基準構成タイプを利用するセル間で生じると仮定する。したがって、サービス用第１ＲＮＣ１０により構成される基準構成タイプが同一サービスに対する第２ＲＮＣにより構成されるタイプとは異なると仮定する。図６に図示された実施形態３００は、同一ＲＮＣ１０により管理されるセル間でＵＥ２の移動にまた適用可能である。
【００７６】
第１ＲＮＣＲＮＣ１１０により管理される第１セルに位置する間、ＵＥ２はＲＮＣ１から特定ＭＢＭＳに対応する基準構成タイプを受信する（Ｓ３０２）。
【００７７】
例えば、前述した３つのスキームの中の１つにより以前に獲得されたデータを含むＵＥ２に格納されたルックアップテーブルから受信された基準構成タイプと内部的な基準データにしたがって、ＵＥはＭＢＭＳラジオベアラーを設定し、ＭＢＭＳデータを受信する（Ｓ３０４）。
【００７８】
その後、ＵＥ２はＲＮＣ１により管理される第１セルからＲＮＣ２により管理される第２セルに移動する（Ｓ３０６）。ＲＮＣ２により管理される第２セルに位置する間、ＭＢＭＳデータを続けて受信するために、ＵＥはＲＮＣ２からＭＢＭＳに対する基準構成タイプを表す情報を受信する（Ｓ３０８）。ステップＳ３０４において、ＵＥ２は基準構成タイプを認識し、ラジオベアラーを設定し、ＭＢＭＳデータを受信するために受信された情報及び内部基準データを利用する（Ｓ３１０）。
【００７９】
図７を参照すれば、本発明のモバイル通信装置４００のブロック図であって、本発明の方法を実施するためのモバイル電話が示されている。モバイル通信装置４００は、マイクロプロセッサーまたはディジタル信号プロセッサーのような処理部４１０、ＲＦモジュール４３５、電力管理モジュール４０５、アンテナ４４０、バッテリ４５５、ディスプレイ４１５、キーパッド４２０、フラッシュメモリ、ＲＯＭまたはＳＲＡＭのような格納部４３０、スピーカ、マイクロホン４５０、選択的にＳＩＭカード４２５を含む。
【００８０】
例えばユーザがキーパッド４２０のボタンを押したり、マイクロホン４５０を利用して音声を活性化することにより、電話番号のような指示情報を入力する。処理部４１０は電話番号ダイヤルのような適切な機能を実施するために指示情報を受信し、処理する。このような機能を実施するために格納部４３０から動作データが検索される。更に、処理部４１０はユーザの嗜好と便宜のための指示及び動作情報をディスプレイ４１５上に表示する。
【００８１】
処理部４１５は、例えば音声通信データを含むラジオ信号を伝送することにより通信を初期化するために指示情報をＲＦ部４３５に発行する。ＲＦモジュール４３５はラジオ信号を伝送し、受信する送信器と受信器を含む。アンテナ４４０はラジオ信号の伝送と受信を容易にする。ラジオ信号の受信の際、ＲＦモジュール４３５は信号を処理部４１０による処理のためのベースバンド周波数で伝達し、変換する。処理された信号は、例えばスピーカ４４５を通じて可聴なまたは読取可能な情報出力に変換される。
【００８２】
モバイル通信装置４００の一実施形態において、ＲＦモジュール４３５とアンテナ４４０は第１と第２構成型識別子を受信するように適応され、格納部４３０またはＳＩＭカード４２５は第１と第２構成型識別子と第１、第２データ通信パラメータとを格納するように適応され、処理部４１０は点対多サービス用第１構成型識別子と関連した第１データ通信パラメータを活用し、第２データ通信パラメータと関連した点対多サービス用第２構成型識別子を処理し、第１構成型識別子と第２構成型識別子とを比較し、第１データ通信パラメータを活用して第１と第２構成型識別子が同一である場合、点対多サービスを受信するように適応される。
【００８３】
モバイル通信装置４００の他の実施形態において、ＲＦモジュール４３５とアンテナ４４０は構成型識別子を受信するように適応され、格納部４３０またはＳＩＭカード４２５はデータ通信パラメータと対応する構成型識別子のセットを格納するように適応され、処理部４１０は点対多サービス用構成型識別子を処理し、受信された構成型識別子と関連した格納されたデータ通信パラメータのセットを検索し、点対多サービスを受信するためにデータ通信パラメータの検索されたセットを活用する。
【００８４】
本技術分野の専門家にはモバイル通信装置４００が例えば処理部４１０または他のデータまたはディジタル処理装置を単独に、または、外部支援ロジックと組合せて利用して具現できることは自明なことである。
【００８５】
図８は、本発明の一実施形態に係るＵＴＲＡＮ５００のブロック図も図示する。ＵＴＲＡＮ５００は、１つ以上のラジオネットワークサブシステム（ＲＮＳ）５２５を含む。各々のＲＮＳ５２５はラジオネットワーク制御器（ＲＮＣ）５２３とこれにより管理される複数のノードＢ５２１すなわち基地局を含む。ＲＮＣ５２３はラジオ資源の割当と管理を操作し、コアネットワークに関するアクセスポイントとして動作する。さらに、ＲＮＣ５２３は本発明の方法を実施するように適応される。
【００８６】
ノードＢ５２１は、アップリンクを通じてモバイルターミナルの物理層により伝送された情報を受信し、ダウンリンクを通じてモバイルターミナルにデータを伝送する。ノードＢ５２１はターミナル４００の送信器または受信器として、またはアクセスポイントとして動作する。
【００８７】
ＵＴＲＡＮ５００の一実施形態において、ＲＮＣ５２３は、構成型識別子と、それに関連したデータ通信パラメータとをノードＢ５２１を経由して１つ以上のモバイルターミナルに伝送するように適応され、ＲＮＣ５２３は第１構成型識別子と関連した第１データ通信パラメータを活用して点対多サービスをモバイルターミナルに提供し、同一の点対多サービスに対する第２データ通信パラメータと関連した第２構成型識別子をモバイルターミナルに伝送するように適応される。
【００８８】
ＵＴＲＡＮ５００の他の実施形態において、ＲＮＣ５２３は、構成型識別子と、それに関連したデータ通信パラメータをノードＢ５２１を経由して１つ以上のモバイルターミナルに伝送するように適応され、ＲＮＣ５２３はデータ通信パラメータ及び対応する構成型識別子の１つ以上のセットを格納し、点対多サービス用構成型識別子をモバイルターミナルに伝送して、伝送された構成型識別子と関連した格納されたデータ通信パラメータのセットを検索し、点対多サービスをモバイルターミナルに伝送するためにデータ通信パラメータの検索されたセットを活用するように適応される。
【００８９】
本発明は、特定の点対多サービスが提供される通信システムにおける異なるセルが、同一パラメータ値を利用して、ラジオプロトコルエンティティー、チャネル、ラジオベアラーを、同時に構成することができる。したがって、ラジオベアラー設定時の遅延の最小化、ハンドオーバーの間生じるデータ損失の最小化、ネットワークリソースの保存、ソフト結合を通じた受信性能の強化を提供することができる。さらに、本発明はストリーミングブロードキャストサービスを效率よく提供できる。
【００９０】
本発明がモバイル通信の観点で記述されても、本発明は無線通信能力を備えたラップトップコンピュータとＰＤＡのようなモバイルデバイスを利用する任意の無線通信システムでも使用できる。さらに、本発明を説明するための所定の用語の使用は、ＵＭＴＳのような無線通信システムのどんなタイプに本発明の範囲を制限するものではない。本発明は、異なるエアーインターフェース及び／または例えばＴＤＭＡ、ＣＤＭＡ、ＦＤＭＡ、ＷＣＤＭＡなどのような物理層を利用する他の無線通信システムにも適用可能である。
【００９１】
好ましい実施形態は、ソフトウェア、ファームウエア、ハードウェアまたはこれらの如何なる組合を生成するために、標準プログラミング及び／またはエンジニアリング技術を利用する方法、装置または製造物として具現される。用語“製造物”はハードウェアロジック（例えば、集積回路チップ、ＦＰＧＡ（field effect programmable gate array）、ＡＳＩＣ（application specific integrated circuit）等）またはコンピュータ読取可能な媒体（例えば、磁気ストレージ媒体（例えば、ハードディスクドライブ、フロッピー（登録商標）ディスク、テープ等）、光ストレージ（ＣＤ−ＲＯＭ、光ディスク等）、揮発性及び非揮発性メモリデバイス（例えば、ＥＥＰＲＯＭ、ＲＯＭ、ＰＲＯＭ、ＲＡＭ、ＤＲＡＭ、ＳＲＡＭ、ファームウエア、プログラム可能なロジック等）で具現されたロジックまたはコードを言及する。
【００９２】
コンピュータ読取可能な媒体内のコードは、プロセッサーによりアクセスされ、実行される。好ましい実施形態で具現されるコードは更に伝送媒体を通じてまたはネットワークを通じたファイルサーバーからアクセス可能である。この場合、コードが具現される製造物は、伝送媒体、例えばネットワーク伝送線、無線伝送線、大気を通じた信号伝播、無線波、赤外線信号などを含む。勿論、当業者は本発明の範囲を外れることなく、本発明に対する多数の修正が行なわれることができ、製造物が公知された任意の情報含有媒体を含むことを容易に認識するはずである。
【００９３】
図面に示された論理実装は、特定の順序で起こる特定動作を記述する。代案的な実装において、任意の論理動作は異なる順序、修正または除去され暗示された本発明の好ましい実施形態で実施できる。更に、前述したロジックにステップが付加されることができ、このステップは本発明の具現に一致する。
【００９４】
当業者には本発明に対するいろいろな修正や変更が可能であることを当然に理解するはずである。したがって、本発明は添付の特許請求範囲及びその均等物内に提供される本発明の修正及び変動をカバーする。
【図面の簡単な説明】
【００９５】
【図１】従来のＵＭＴＳネットワーク構造を示すブロック図である。
【図２】３ＧＰＰ無線アクセスネットワーク仕様を基盤にした従来の無線インターフェースプロトコルのアーキテクチャを示すブロック図である。
【図３】従来のＭＴＣＨプロトコルアーキテクチャを示すブロック図である。
【図４】本発明に係る点対多サービス用ラジオベアラーを設定する方法を示す図である。
【図５】モバイルターミナルのハンドオーバーの間適用される図４の方法の第１実施形態を示す図である。
【図６】モバイルターミナルのハンドオーバーの間適用される図４の方法の第２実施形態を示す図である。
【図７】本発明の一実施形態に係るネットワークから点対多サービスを受信するためのモバイル通信装置を示す図である。
【図８】本発明の一実施形態に係る点対多サービスをモバイルターミナルに伝送するためのネットワークを示す図である。
【符号の説明】
【００９６】
１…ネットワーク構造、２…モバイルターミナル（ＵＥ）、４…コアネットワーク、６、５００…ＵＴＲＡＮ、８…ラジオネットワークサブシステム、１０、５２３…ラジオネットワーク制御器（ＲＮＣ）、１２…基地局、４００…モバイル通信装置、４０５…電力管理モジュール、４１０…処理段、４１５…ディスプレイ、４２０…キーパッド、４２５…ＳＩＭカード、４３０…格納部、４３５…ＲＦモジュール、４４０…アンテナ、４５０…マイクロホン、４５５…バッテリ、５２５…ラジオネットワークサブシステム（ＲＮＳ）
【図１】
2007507971.tif 000003
【図２】
2007507971.tif 000004
【図３】
2007507971.tif 000005
【図４】
2007507971.tif 000006
【図５】
2007507971.tif 000007
【図６】
2007507971.tif 000008
【図７】
2007507971.tif 000009
【図８】
2007507971.tif 000010
【国際調査報告】
2007507971.tif 000011
2007507971.tif 000012